(57)【要約】【課題】住戸における玄関５ａと反対の側に備えさせた居室と隣接したサンルーム１２に居室から見え難い態様で水回りの設備を備えさせながら、この居室とサンルーム１２との空間的な連続性を高く確保させるようにする。【解決手段】集合住宅を構成するワンルームタイプの住戸の構造である。住戸の出入り口７と反対の側にサンルーム１２を備えていると共に、奥行き方向ｘに続く境界壁６から室内側に突き出す第一仕切り壁１３ａと、この第一仕切り壁１３ａの突き出し端からサンルーム１２側に突き出す第二仕切り壁１３ｂとによって居室１と区分され、サンルーム１２側を入り口１３ｃとした空間１３を備えており、この空間１３内に水回りの設備の少なくとも一部を備えさせるようにした。【選択図】図１
2008127750.tif 000002
【特許請求の範囲】
【請求項１】
集合住宅を構成するワンルームタイプの住戸の構造であって、
住戸の出入り口と反対の側にサンルームを備えていると共に、
奥行き方向に続く境界壁から室内側に突き出す第一仕切り壁と、この第一仕切り壁の突き出し端からサンルーム側に突き出す第二仕切り壁とによって居室と区分され、サンルーム側を入り口とした空間を備えており、
この空間内に水回りの設備の少なくとも一部を備えさせるようにしていることを特徴とする集合住宅の住戸構造。
【発明の詳細な説明】
【技術分野】
【０００１】
この発明は、集合住宅を構成するワンルームタイプの住戸の構造に関する。
【背景技術】
【０００２】
いわゆるワンルームマンションと呼ばれる形式の住戸に関し、玄関側と反対の側に住戸の間口方向に亘る間仕切り壁によって居室空間と仕切られた土間空間を備え、この土間空間にトイレ、洗面台、およびシャワー室たものがある。（特許文献１、図２参照）
【０００３】
しかるに、この特許文献１の居室空間と土間空間とは床面レベルが異なり、また、前記間仕切り壁には掃き出し窓が設けられているに過ぎないため、この掃き出し窓を開けても居室空間と土間空間とを一体性高く連続させ得ないところである。一方、こうした間仕切り壁を用いずに居室と床面レベルを同じくするサンルームを住戸の玄関側と反対の側に設け、さらにこのサンルームに水回りの設備を備えさせた場合、居室とサンルームとを一体性高く連続させることができる反面、居室側から水回りの設備が見えやすくなるという不具合が生じる。
【特許文献１】特開２００１−２９５４８２号公報
【発明の開示】
【発明が解決しようとする課題】
【０００４】
この発明が解決しようとする主たる問題点は、住戸における玄関と反対の側に備えさせた居室と隣接したサンルームに居室から見え難い態様で水回りの設備を備えさせながら、この居室とサンルームとの空間的な連続性を高く確保させるようにする点にある。
【課題を解決するための手段】
【０００５】
前記課題を達成するために、この発明にあっては、集合住宅の住戸構造を、集合住宅を構成するワンルームタイプの住戸の構造であって、
住戸の出入り口と反対の側にサンルームを備えていると共に、
奥行き方向に続く境界壁から室内側に突き出す第一仕切り壁と、この第一仕切り壁の突き出し端からサンルーム側に突き出す第二仕切り壁とによって居室と区分され、サンルーム側を入り口とした空間を備えており、
この空間内に水回りの設備の少なくとも一部を備えさせるようにしたものとしている。
【０００６】
かかる構成によれば、かかる空間から居室は、かかる第一仕切り壁および第二仕切り壁によって、サンルームを通じてのみ連絡されることから、基本的に独立される。したがってまたこの空間への居室側からの視線を遮ることができ、その一方で、居室とサンルームとの空間的な連続性を損なわせることがない。
【発明の効果】
【０００７】
この発明によれば、ワンルームタイプの住戸における限られたスペースの範囲内において、住戸における玄関と反対の側に備えさせた居室と隣接したサンルームに居室から見え難い態様で水回りの設備を備えさせながら、この居室とサンルームとの空間的な連続性を高く確保させることができる。
【発明を実施するための最良の形態】
【０００８】
以下、図１および図２に基づいて、この発明を実施するための最良の形態について説明する。
【０００９】
なお、ここで図１は、この発明を適用して構成された住戸の一例の平面構成を示しており、また、図２は、この発明を適用して構成された住戸の他の一例の平面構成を示している。
【００１０】
この実施の形態にかかる住戸構造は、いわゆるアパートやマンション、各種の寮などとして利用される集合住宅を構成する住戸のうちの、ワンルームタイプの住戸に適用されるものである。
【００１１】
ここで、本明細書においてワンルームタイプの住戸という概念は、厨房設備を含んでなる一つのメイン居室（主たる居室）にサニタリーを組み合わせて構成される住戸、一つのメイン居室にキッチンおよびサニタリーを組み合わせて構成される住戸、およびこれらにさらにクローゼット、サービスルーム、サンルームなどの補助的な空間の一又は二以上をさらに組み合わせて構成される住戸を含むものであり、本明細書においてはこうした各住戸を含ませる意図でワンルームタイプという表現を使用している。
【００１２】
図示の例では、かかる住戸を、一つのメイン居室１（リビング兼ベッドルーム、場合によってはさらにダイニングを兼ねる。）と、キッチン２と、トイレ３と、バスルーム４と、入り口側空間５（玄関５ａとこれと一続きのクローゼット５ｂ）とから構成させている。
【００１３】
図示の例では、かかる住戸は間口に対し奥行きを大きくすると共に、この奥行き方向ｘに沿った一対の境界壁６、６間に前記メイン居室１などを備えさせて構成されている。すなわち、かかる住戸は、平面視の状態において略長方形の内郭を有しており、その幅方向に亘る一方辺側に玄関ドアによって塞がれる出入り口７となる開口部を、また、この出入り口７と反対の側に窓開口部８を備えている。
【００１４】
典型的には、このように構成された複数の住戸を出入り口７を同じ方角に向けるようにして並列状に配し、このように配される複数の住戸の出入り口７がそれぞれ臨む外廊下を設けるなどして、一棟の集合住宅が構成される。
【００１５】
前記入り口側空間５は、かかる住戸の奥行き方向ｘに続く境界壁６から室内側に突き出す第一仕切り壁５ｃと、この第一仕切り壁５ｃの突き出し端５ｃ’から玄関５ａ側に向けて突き出す第二仕切り壁５ｄとによってメイン居室１と区分され、かつその住戸の出入り口７に連続して備えられている空間である。かかる第二仕切り壁５ｄの突き出し端５ｄ’はこの入り口側空間５とメイン居室１とを仕切る段差部１ａと略同じ位置に位置されるようになっている。これにより、第一仕切り壁５ｃと第二仕切り壁５ｄとによって入り口側空間５における第二仕切り壁５ｄの突き出し端５ｄ’よりも奥側に位置される空間（図示の例ではクローゼット５ｂ）とメイン居室１とを明確に区分させながら、この奥側に位置される空間への入り口５ｅの幅を最大限に確保させることができるようになっている。
【００１６】
また、図示の例にあっては、かかる住戸を、その間口方向ｙに交叉する向きの仮想の仕切り面ｚに沿って備えられる左右仕切り壁９と可動間仕切り体１０とによって、その間口方向ｙにおいて左右に概ね二分し、
その一方部分にメイン居室１を配し、
特に図１に示される例では、その他方部分をさらに、住戸の奥行き方向ｘに続く境界壁６から室内側に突き出すと共に、その突き出し端と前記仮想の仕切り面ｚとの間に可動間仕切り体１０を通し抜け可能とした、少なくとも一つの前後仕切り壁１１によって前後に区分させるようにしている。
【００１７】
メイン居室１が配される一方部分と他方部分とは、可動間仕切り体１０を閉めきることにより、前記仮想の仕切り面ｚに沿ってスッキリと仕切られて、それぞれ独立した空間となる。これにより、キッチン２及びサニタリーからメイン居室１を独立させることができる。また、可動間仕切り体１０を完全に閉めきることで、この他方部分においてもキッチン２とサニタリーとをそれぞれ独立した空間とすることができる。また、可動間仕切り体１０を部分的に閉めることで、メイン居室１とキッチン２を連続させて且つサニタリーから独立させるような仕切り方や、メイン居室１とサニタリーを連続させて且つキッチン２から独立させるような仕切り方をすることもできるようになっている。
【００１８】
また、この実施の形態にかかる住戸は、住戸の出入り口７と反対の側にサンルーム１２を備えていると共に、
奥行き方向ｘに続く境界壁６から室内側に突き出す第一仕切り壁１３ａと、この第一仕切り壁１３ａの突き出し端からサンルーム１２側に突き出す第二仕切り壁１３ｂとによってメイン居室１と区分され、サンルーム１２側を入り口１３ｃとした空間１３を備えており、
この空間１３内に水回りの設備の少なくとも一部を備えさせるようにしている。
【００１９】
この空間１３からメイン居室１は、かかる第一仕切り壁および第二仕切り壁１３ｂによって、サンルーム１２を通じてのみ連絡されることから、基本的に独立される。したがってまたこの空間１３へのメイン居室１側からの視線を遮ることができる。その一方で、メイン居室１とサンルーム１２との空間的な連続性を損なわせることがない。この空間１３を洗濯機置き場とした場合、メイン居室１に洗濯機の稼働音が漏れがたくまた洗濯物をサンルーム１２に干しやすい。この空間１３をキッチン２とした場合、料理の煙やニオイ、音がメイン居室１に行きがたい。また、この空間１３の入り口１３ｃはサンルーム１２側にあることから、この空間１３を区画形成する第一仕切り壁１３ａの外側１３ａ’を他の設備機器などの設置場所として有効活用することが可能となる。また、この空間１３をバスルーム４とした場合、開放感の高い入浴などが可能となる。
【００２０】
図１に示される例では、住戸は、入り口側空間５とサンルーム１２との間において、その奥行き方向ｘに沿った仮想の仕切り面ｚに沿って配される可動間仕切り体１０および第二仕切り壁１３ｂとによって左右に概ね二分されている。第二仕切り壁１３ｂはメイン居室１とサンルーム１２との境界位置１ｂと略同じ位置にサンルーム１２側の端部１３ｂ’を位置させている。この例では第一仕切り壁１３ａはサンルーム１２との間にバスルーム４を形成するに足りる距離を開けるようにして設けられている。また、サンルーム１２側にある境界壁６の一方からは第二仕切り壁１３ｂの前記端部１３ｂ’に向けて前後仕切り壁１４が突き出されており、この前後仕切り壁１４と第二仕切り壁１３ｂの端部１３ｂ’との間がバスルーム４の入り口１３ｃとなっている。また、この例では、この前後仕切り壁１４の外側においてサンルーム１２に洗面設備１５が備えられている。  また、この例では、サンルーム１２は住戸の窓開口部８側に間口方向ｙに亘って形成されていると共に、サンルーム１２とメイン居室１とは間口方向ｙに可動可能な間仕切り体としての引き違い戸１６によって仕切られるようになっている。この間仕切り体を吊り戸にすれば吊り戸を開いたときはメイン居室１とサンルーム１２とを段差のないバリアフリーな一つの連続空間にさせることができる。窓開口部８は、例えば、下部を不透明なはめ殺し窓とし、上部を透明な可動窓とする。（例えば床から１．１ｍより上方）このようにしておけば、窓開口部８の上部から通風が得られると共に、窓開口部８の下部によってサンルーム１２に干された洗濯物を見えがたくするなど、居住者のプライバシーを確保させることができる。
【００２１】
図２に示される例では、住戸は、その奥行き方向ｘに沿った仮想の仕切り面ｚに沿って設けられる入り口側空間５とメイン居室１とを仕切る段差部１ａと、可動間仕切り体１０および第二仕切り壁１３ｂとによって左右に概ね二分されている。第二仕切り壁１３ｂはメイン居室１とサンルーム１２との境界位置１ｂと略同じ位置にサンルーム１２側の端部１３ｂ’を位置させている。この例では第一仕切り壁１３ａはサンルーム１２との間にトイレ３を形成するに足りる距離を開けるようにして設けられている。また、サンルーム１２側にある境界壁６の一方からは第二仕切り壁１３ｂの前記端部１３ｂ’に向けて前後仕切り壁１４が突き出されており、この前後仕切り壁１４と第二仕切り壁１３ｂの端部１３ｂ’との間がトイレ３の入り口１３ｃとなっている。また、この例では、この前後仕切り壁１４の外側においてサンルーム１２に洗濯機パン１７が備えられている。また、この例では、サンルーム１２は住戸の窓開口部８側に間口方向ｙに亘って形成されていると共に、サンルーム１２とメイン居室１とは間口方向ｙに可動可能な間仕切り体としての引き違い戸１６によって仕切られるようになっている。この間仕切り体を吊り戸にすれば吊り戸を開いたときはメイン居室１とサンルーム１２とを段差のないバリアフリーな一つの連続空間にさせることができる。窓開口部８は、例えば、下部を不透明なはめ殺し窓とし、上部を透明な可動窓とする。（例えば床から１．１ｍより上方）このようにしておけば、窓開口部８の上部から通風が得られると共に、窓開口部８の下部によってサンルーム１２に干された洗濯物を見えがたくするなど、居住者のプライバシーを確保させることができる。
【図面の簡単な説明】
【００２２】
【図１】住戸の平面構成図（見取り図）
【図２】他の構成例にかかる住戸の平面構成図（見取り図）
【符号の説明】
【００２３】
ｘ  奥行き方向
１  居室（メイン居室）
６  境界壁
７  出入り口
１２  サンルーム
１３  空間
１３ａ  第一仕切り壁
１３ｂ  第二仕切り壁
１３ｃ  入り口
【図１】
2008127750.tif 000003
【図２】
2008127750.tif 000004